(57)【要約】【課題】  この発明は、番組放送時刻に番組記録先が接続されていない場合があってもその番組記録先へデータを転送可能な映像信号受信装置を提供することを目的としている。【解決手段】  映像信号を受信する手段（２，４）と、映像信号の記録先を選択する手段（１３）と、選択された第１の記録先が接続されているか否かを検出する手段（１２）と、第１の記録先への記録実行時に、第１の記録先が接続されている場合は映像信号を記録するように制御する手段（１２）とを備えるように構成する。【選択図】  図１
2006041786.tif 000002
【特許請求の範囲】
【請求項１】
映像信号を受信する映像信号受信装置において、
外部から出力された映像信号を受信する映像信号受信手段と、
前記受信した映像信号を記録する記録先を複数の中から少なくともひとつを選択するための記録先選択手段と、
前記複数の選択先の中から選択された第１の記録先が映像信号受信装置と電気的に接続されているか否かを検出する接続検出手段と、
前記選択された第１の記録先へ前記映像信号を記録する記録実行時に、前記接続検出手段で第１の記録先が映像信号受信装置に電気的に接続されていることが検出された場合には、第１の記録先へ前記映像信号を記録するように制御し、前記接続検出手段で第１の記録先が映像信号受信装置に電気的に接続されていないことが検出された場合には、前記映像信号を映像信号受信装置内に記録し、後に第１の記録先が接続されたことが検出された場合は、映像信号受信装置内に記録された前記映像信号を第１の記録先へ記録するように制御する制御手段とを備えることを特徴とする映像信号受信装置。
【請求項２】
映像信号を受信する映像信号受信装置において、
外部から出力された映像信号を受信する映像信号受信手段と、
前記受信した映像信号を記録する記録先を複数の中から少なくともひとつを選択するための記録先選択手段と、
前記複数の選択先の中から選択された第１の記録先が映像信号受信装置と電気的に接続されているか否かを検出する接続検出手段と、
前記選択された第１の記録先へ前記映像信号を記録する記録実行時に、前記接続検出手段で第１の記録先が映像信号受信装置に電気的に接続されていることが検出された場合に、第１の記録先へ前記映像信号を記録するように制御する制御手段とを備えることを特徴とする映像信号受信装置。
【請求項３】
映像信号を受信する映像信号受信装置において、
外部から出力された映像信号を受信する映像信号受信手段と、
前記受信した映像信号を記録する記録先を複数の中から少なくともひとつを選択するための記録先選択手段と、
前記複数の選択先の中から選択された第１の記録先が映像信号受信装置と電気的に接続されているか否かを検出する接続検出手段と、
前記選択された第１の記録先へ前記映像信号を記録する記録実行時に、前記接続検出手段で第１の記録先が映像信号受信装置に電気的に接続されていないことが検出された場合に、映像信号受信装置に接続された前記第１の記録先とは異なる記録先へ前記映像信号を記録するように制御する制御手段とを備えることを特徴とする映像信号受信装置。
【請求項４】
映像信号を受信する映像信号受信装置において、
外部から出力された映像信号を受信する映像信号受信手段と、
前記受信した映像信号を記録する記録先を複数の中から少なくともひとつを選択するための記録先選択手段と、
前記複数の選択先の中から選択された第１の記録先が映像信号受信装置と電気的に接続されているか否かを検出する接続検出手段と、
前記選択された第１の記録先へ前記映像信号を記録する記録実行時に、前記接続検出手段で第１の記録先が映像信号受信装置に電気的に接続されていることが検出された場合には、第１の記録先へ前記映像信号を記録するように制御し、前記接続検出手段で第１の記録先が映像信号受信装置に電気的に接続されていないことが検出された場合には、映像信号受信装置に接続された前記第１の記録先とは異なる記録先へ前記映像信号を記録するように制御する制御手段とを備えることを特徴とする映像信号受信装置。
【請求項５】
前記第１の記録先は映像信号受信装置に対する外部接続機器であることを特徴とする請求項１乃至４に記載の映像信号受信装置。
【請求項６】
前記第１の記録先は映像信号受信装置に対して通信を介して接続される機器であることを特徴とする請求項５に記載の映像信号受信装置。
【請求項７】
外部から出力された映像信号を受信するステップと、
受信した映像信号を記録する記録先を複数の中から少なくともひとつを選択するステップと、
複数の選択先の中から選択された第１の記録先が映像信号受信装置と接続されているか否かを検出するステップと、
選択された第１の記録先へ映像信号を記録する記録実行時に、第１の記録先が映像信号受信装置に接続されていることが検出された場合には、第１の記録先へ前記映像信号を記録するように制御し、第１の記録先が映像信号受信装置に電気的に接続されていないことが検出された場合には、前記映像信号を映像信号受信装置内に記録し、後に第１の記録先が接続されたことが検出された場合は、映像信号受信装置内に記録された前記映像信号を第１の記録先へ記録するように制御するステップとを備えることを特徴とする映像信号受信方法。
【請求項８】
外部から出力された映像信号を受信するステップと、
前記受信した映像信号を記録するために複数の記録先から少なくともそのひとつを選択するステップと、
前記複数の中から選択された第１の記録先が映像信号受信装置と電気的に接続されているか否かを検出するステップと、
前記選択された第１の記録先へ前記映像信号を記録する記録実行時に、第１の記録先が映像信号受信装置に電気的に接続されていることが検出された場合に、第１の記録先へ前記映像信号を記録するように制御するステップとを備えることを特徴とする映像信号受信方法。
【請求項９】
外部から出力された映像信号を受信するステップと、
前記受信した映像信号を記録するために複数の記録先から少なくともそのひとつを選択するステップと、
前記複数の中から選択された第１の記録先が映像信号受信装置と電気的に接続されているか否かを検出するステップと、
前記選択された第１の記録先へ前記映像信号を記録する記録実行時に、前記第１の記録先が映像信号受信装置に電気的に接続されていないことが検出された場合に、映像信号受信装置に接続された前記第１の記録先とは異なる記録先へ前記映像信号を記録するように制御するステップとを備えることを特徴とする映像信号受信方法。
【請求項１０】
外部から出力された映像信号を受信するステップと、
前記受信した映像信号を記録するために複数の記録先から少なくともそのひとつを選択するステップと、
前記複数の中から選択された第１の記録先が映像信号受信装置と電気的に接続されているか否かを検出するステップと、
前記選択された第１の記録先へ前記映像信号を記録する記録実行時に、前記接続検出手段で第１の記録先が映像信号受信装置に電気的に接続されていることが検出された場合には、第１の記録先へ前記映像信号を記録するように制御し、前記接続検出手段で第１の記録先が映像信号受信装置に電気的に接続されていないことが検出された場合には、映像信号受信装置に接続された前記第１の記録先とは異なる記録先へ前記映像信号を記録するように制御するステップとを備えることを特徴とする映像信号受信方法。
【請求項１１】
前記第１の記録先は映像信号受信装置に対する外部接続機器であることを特徴とする請求項７乃至１０に記載の映像信号受信方法。
【請求項１２】
前記第１の記録先は映像信号受信装置に対して通信を介して接続される機器であることを特徴とする請求項１１に記載の映像信号受信方法。
【発明の詳細な説明】
【技術分野】
【０００１】
この発明は、放送信号を受信する映像信号受信装置に関する。またこの発明は、携帯情報端末（携帯端末）等の外部接続機器に対して映像信号受信装置で受信した映像信号を記録可能にする映像信号受信装置に関する。
【背景技術】
【０００２】
近年、携帯情報端末（携帯端末）に映像や音声の映像信号（映像・音声データ）を記録し、ユーザが携帯情報端末（携帯端末）を携帯しながら、記録された映像・音声データを試聴することが可能な機器が商品化されている。
【０００３】
しかし、携帯情報端末（携帯端末）に映像・音声データを記録する方法は煩雑であり、ユーザにとって利便性が良いとは言い難い状況である。
【０００４】
例えば、据置き型の受信・録画機器で受信中または記録済の映像・音声を携帯情報端末（携帯端末）に録画しようとすると、まず、据置き型受信・録画機器と携帯情報端末（携帯端末）を映像・音声ケーブルにて接続し、次に据置き型受信・録画機器を受信状態または記録済データを再生状態にし、最後に携帯情報端末（携帯端末）にて記録操作を行うといった作業が発生してしまうという問題があった。
【０００５】
特許文献１には、映像信号の受信部を持たない携帯情報端末（携帯端末）を、充電中にテレビ受信機に接続しておき、この間に、自動的に携帯情報端末（携帯端末）内へデータ転送が行われる技術が提案されている。しかしながら、この特許文献１では、テレビ受信機で受信したデータを携帯情報端末（携帯端末）に記録する際には、番組が放送される時刻に携帯情報端末（携帯端末）がテレビ受信機に接続されていなければならなかった。
【特許文献１】特開２００１−１４４６３７号公報
【発明の開示】
【発明が解決しようとする課題】
【０００６】
そこでこの発明は、上記事情を考慮してなされたもので、番組が放送される時刻に、携帯情報端末（携帯端末）が受信機器へ接続されていない場合があっても、一時的に、別の記憶領域に記録し、その後、携帯情報端末（携帯端末）が接続された後に、携帯情報端末（携帯端末）へデータを転送する映像信号受信装置を提供することを目的とする。
【課題を解決するための手段】
【０００７】
この発明に係る映像信号受信装置は、外部から出力された映像信号を受信する映像信号受信手段と、前記受信した映像信号を記録する記録先を複数の中から少なくともひとつを選択するための記録先選択手段と、前記複数の選択先の中から選択された第１の記録先が映像信号受信装置と電気的に接続されているか否かを検出する接続検出手段と、前記選択された第１の記録先へ前記映像信号を記録する記録実行時に、前記接続検出手段で第１の記録先が映像信号受信装置に電気的に接続されていることが検出された場合に、第１の記録先へ前記映像信号を記録するように制御する制御手段とを備えるように構成するものである。
【０００８】
また、この発明に係る映像信号受信方法は、外部から出力された映像信号を受信するステップと、前記受信した映像信号を記録するために複数の記録先から少なくともそのひとつを選択するステップと、前記複数の中から選択された第１の記録先が映像信号受信装置と電気的に接続されているか否かを検出するステップと、前記選択された第１の記録先へ前記映像信号を記録する記録実行時に、第１の記録先が映像信号受信装置に電気的に接続されていることが検出された場合に、第１の記録先へ前記映像信号を記録するように制御するステップとを備えるように構成するものである。
【発明の効果】
【０００９】
上記した構成によれば、番組が放送される時刻や、映像受信装置に対して携帯情報端末（携帯端末）が接続されているか否かを、ユーザは特に気にすることなく、映像受信装置で受信された映像信号を携帯情報端末（携帯端末）に記録することが可能となる。このため、ユーザの利便性を向上させることができる。
【発明を実施するための最良の形態】
【００１０】
以下この発明に係る実施の形態を、図面を参照して詳細に説明する。
【００１１】
ここでの説明においては記録と録画を映像信号（音声を含む）の記録として同様に用いている。
【００１２】
図１はこの発明の実施の形態を示すもので、主に映像受信装置の構成を示すブロック図である。
【００１３】
符号３０は映像受信装置である。ここではHDD/DVDレコーダを例にとる。符号３１は映像表示部（例えばテレビ）、符号３２ａはＳＤメモリカード、符号３３ａはＬＡＮ接続機器、４０はＵＳＢ接続機器（例えば携帯端末、携帯電話等）であり、符号１４を付した外部とのインターフェース（外部Ｉ／Ｆ）を介し、映像受信装置３０に対して、それぞれ接続される。
【００１４】
符号１は放送受信用アンテナ、符号２はチューナ部、符号２ａはアナログ放送受信部、符号２ｂはデジタル放送受信部、符号４は映像信号入力端子、符号５は音声信号入力端子、符号６はオーディオＡＤコンバータ、符号７はＭＰＥＧエンコーダ、符号８はストリームコントローラ、符号９はハードディスクドライブ（ＨＤＤ）、符号１０はＤＶＤドライブ、符号１１はデータバス、符号１２は制御部（ＣＰＵ）、符号１３は入力手段、符号１４ａはＳＤカードインターフェース（ＳＤカードＩ／Ｆ）、符号１４ｂはＬＡＮインターフェース（ＬＡＮＩ／Ｆ）、符号１４ｃはＵＳＢインターフェース（ＵＳＢＩ／Ｆ）、符号１５はＭＰＥＧデコーダ、符号１６はオーディオＤＡコンバータであり、ここではそれぞれ映像受信装置３０に構成される。
【００１５】
図示しない放送局から放送番組がデジタル放送またはアナログ放送の放送信号の形態で送信（放送）される。放送受信用アンテナ１はこの放送信号を受信し、チューナ部２へ送信する。チューナ部２は放送受信用アンテナ１から送信された放送信号から選局を行う。アナログ放送はアナログ放送受信部２ａで受信される。
【００１６】
アナログ放送受信部２ａで受信された放送信号のうち映像に係る映像信号はＭＰＥＧエンコーダ７へ送信される。また、上記放送信号のうち音声に係る音声信号はオーディオＡＤコンバータ６でアナログ信号からデジタル信号への変換処理を行った後に、ＭＰＥＧエンコーダ７へ送信される。ＭＰＥＧエンコーダ７では映像信号および音声信号（以下まとめて映像信号と称する場合もある）をＭＰＥＧ２等へのエンコード処理を行う。映像信号入力端子４および音声信号入力端子５はそれぞれ外部から入力される映像信号および音声信号が入力される端子である。映像信号入力端子４から入力された映像信号は上記と同様にＭＰＥＧエンコーダ７へ送信される。また、音声信号入力端子５から入力された音声信号はオーディオＡＤコンバータ６でアナログ信号からデジタル信号への変換処理を行った後に、ＭＰＥＧエンコーダ７へ送信され、映像信号をＭＰＥＧ２等へのエンコード処理を行う。
【００１７】
デジタル放送受信部２ｂで受信された放送信号はストリームコントローラ８へ送信される。また、ＭＰＥＧエンコーダ７でエンコード処理された映像信号はストリームコントローラ８へ送信される。
【００１８】
ストリームコントローラ８はＭＰＥＧ２ストリームのデジタル信号をコントロールし、ＭＰＥＧ２ストリームのデジタル信号（映像信号）をハードディスクドライブ（ＨＤＤ）９やＤＶＤドライブ１０へ記録する。また、ハードディスクドライブ（ＨＤＤ）９やＤＶＤドライブ１０に記録された映像信号の読出し制御を行う。
【００１９】
制御部（ＣＰＵ）１２はデータバス１１を介してストリームコントローラ８、チューナ部２、ＭＰＥＧエンコーダ７、ＭＰＥＧデコーダ１５に接続し、それぞれをコントロールする。
【００２０】
ストリームコントローラ８から出力されたＭＰＥＧ２ストリームのデジタル信号のうち映像信号はＭＰＥＧデコーダ１５でデコード処理され映像信号として出力される。また、上記ＭＰＥＧ２ストリームのデジタル信号のうち音声信号はオーディオＤＡコンバータ１６で受信され、デジタル信号からアナログ信号への変換処理を行った後に音声信号として出力される。これらの映像信号出力および音声信号出力は映像表示装置３１で受信され、表示および音声出力される。
【００２１】
ユーザによって入力手段１３が操作されると、外部Ｉ／Ｆ１４に接続された複数の外部接続機器が選択される。ここでは、複数の外部接続機器の例としてＳＤメモリカード３２ａ、ＬＡＮ接続機器３３ａ、ＵＳＢ接続機器（例：携帯端末、携帯電話）４０を示している。そして、ＳＤメモリカード３２ａはＳＤカードインターフェース（ＳＤカードＩ／Ｆ）１４ａを介して映像受信装置３０に接続されている。また、ＬＡＮ接続機器３３ａはＬＡＮインターフェース（ＬＡＮＩ／Ｆ）１４ｂを介して、ＵＳＢ接続機器（例：携帯端末、携帯電話）４０はＵＳＢインターフェース（ＵＳＢＩ／Ｆ）１４ｃを介して、それぞれ映像受信装置３０に接続されている。
【００２２】
例えばここでは、後述する図６に示すように、外部 Ｉ／Ｆ１４に接続された携帯情報端末（携帯端末）(この例では USB接続された携帯電話)が選択される。
【００２３】
すなわち、アナログ放送受信部２ａより出力された映像および音声信号は、MPEGエンコーダ７により携帯電話４０への記録に適したフォーマットに変換される。例えば、映像の場合はMPEG4形式、音声の場合はAAC形式などである。変換された映像信号（データ）はデータバス１１ → 制御部１２ → USB I/F１４ｃ → USB接続ケーブルを通じて携帯電話４０へデータ転送が行われる。
【００２４】
映像受信装置４０で受信された映像信号の録画または予約録画開始時に記録先として携帯電話が指定されている場合には、後述するように、制御部５３により携帯電話４０がUSB I/F１４ｃに接続されているかどうかを検出する。携帯電話４０が接続されている場合には携帯電話４０へ記録が実施される。
【００２５】
また、録画または予約録画開始時に記録先として携帯電話４０以外が指定された場合には、その指定先、例えばハードディスク９へ記録が実行される。ユーザは入力手段１３を操作することにより、映像信号出力および音声信号出力に接続されたテレビ３１などで視聴することができる。
【００２６】
また、録画または予約録画開始時に記録先として携帯電話４０が指定されていながら、制御部１２により携帯電話４０がUSB I/F４０に接続されていない場合には、一時的に、受信・記録機器のデータストレージ、例えばハードディスク９へ記録が実行される。この後に、携帯電話４０の接続時に記録されたデータの転送が実施される。この動作は後述する（図５）。
【００２７】
また、制御部１２により携帯電話４０の接続が検出されると、受信・記録機器のデータストレージ内、例えばハードディスク９に、記録先として携帯電話が指定されていながら携帯電話４０へ転送されていないデータの有無を調査する。ここで未転送のデータが存在するとハードディスク９ → ストリームコントローラ８ → データバス１１ → 制御部１２ → USB I/F１４ｃ → USB接続ケーブルを通じて携帯電話４０へデータ転送が行われる。
【００２８】
ここで、データ転送が終了すると転送済みデータに転送済みフラグをたてておくことで、再び携帯電話４０が接続された際に二重にデータ転送されることを防ぐことができる。
【００２９】
図２はこの発明の実施の形態を示すもので、主に携帯端末（ここでは携帯電話）の構成を示すブロック図である。
【００３０】
符号４０は携帯端末であり、外部とのインターフェース（外部Ｉ／Ｆ）５５を介して外部接続機器であるＳＤメモリカード３２ｂ、ＬＡＮ接続機器３３ｂ、ＵＳＢ接続機器（映像受信装置）３０と接続される。
【００３１】
携帯端末４０は、符号４１を付した通話信号送受信用アンテナ、符号４２を付した増幅部、符号４３を付したダウンコンバータ、符号４４を付したベースバンドコントローラ、符号４５を付した映像・音声信号処理部、符号４６を付したＬＣＤコントローラ、符号４７を付した表示部、符号４８を付したスピーカ、符号４９を付したマイク、符号５０を付したＡｕｄｉｏコーディック、符号５１を付したアップコンバータ、符号５２を付した増幅部、符号５３を付した制御部（ＣＰＵ）、符号５４を付した内蔵メモリ、符号５５を付した外部とのインターフェース（外部Ｉ／Ｆ）、符号５５ａを付したＳＤカードインターフェース（ＳＤカードＩ／Ｆ）、符号５５ｂを付したＬＡＮインターフェース（ＬＡＮＩ／Ｆ）、符号５５ｃを付したＵＳＢインターフェース（ＵＳＢＩ／Ｆ）を備えている。
【００３２】
通話信号送受信用アンテナ４１は他の携帯電話と通話信号の送受信を行う。通話信号送受信用アンテナ４１で受信された通話信号は増幅部４２へ送信される。増幅部４２では所定の増幅を行い、通話信号をダウンコンバータ４３に送信する。ダウンコンバータ４３ではダウンコンバート処理を行い、通話信号をベースバンドコントローラ４４に出力する。ベースバンドコントローラ４４では出力された通話信号のベースバンドコントロールを行い、映像・音声信号処理部４５に通話信号を出力する。
【００３３】
映像・音声信号処理部４５では通話信号の映像・音声信号処理を行い、映像信号はＬＣＤコントローラ４６に向けて出力する。ＬＣＤコントローラ４６は受信した映像信号を表示用にコントロールしてＬＣＤ（Liquid Color Display）等で構成される表示部４７に出力し映像信号が表示される。また、音声信号はＡｕｄｉｏコーディック５０に向けて出力する。Ａｕｄｉｏコーディック５０は受信した音声信号のDA変換処理を行い、スピーカ４８に向けて音声信号を出力する。スピーカ４８は音声信号を受信し、音声を出力する。
【００３４】
マイク４９に入力された音声は音声信号に変換されてＡｕｄｉｏコーディック５０に入力される。Ａｕｄｉｏコーディック５０は受信した音声信号のAD変換処理を行い、映像・音声信号処理部４５に向けて出力する。映像・音声信号処理部４５はAD変換処理された音声信号に映像・音声信号処理を施してベースバンドコントローラ４４に向けて出力する。ベースバンドコントローラ４４では受信した音声信号のベースバンドをコントロールしてアップコンバータ５１に向けて出力する。アップコンバータ５１は受信した音声信号のアップコンバージョンを行って増幅部５２に向けて出力する。増幅部５２は受信した音声信号の増幅を行って通話信号送受信用アンテナ４１に向けて音声信号を出力する。通話信号送受信用アンテナ４１は他の携帯電話に向けて通話信号を送信する。
【００３５】
制御部（ＣＰＵ）５３は内蔵メモリ５４、ベースバンドコントローラ４４、映像・音声信号処理部４５、外部とのインターフェース（外部Ｉ／Ｆ）５５と接続し、それぞれを制御する。入力手段５５はユーザによって携帯端末４０の入力が行われる。
【００３６】
携帯端末４０は外部Ｉ／Ｆ５５を介して複数の外部接続機器と接続される。
【００３７】
ここではＳＤメモリカード３２ｂ、ＬＡＮ接続機器３３ｂ、ＵＳＢ接続機器（例：映像受信装置）４０と接続される。そして、ＳＤメモリカード３２ｂはＳＤカードインターフェース（ＳＤカードＩ／Ｆ）５５ａを介して携帯端末４０に接続されている。また、ＬＡＮ接続機器３３ｂはＬＡＮインターフェース（ＬＡＮＩ／Ｆ）５５ｂを介して、また、ＵＳＢ接続機器（例：映像受信装置）３０はＵＳＢインターフェース（ＵＳＢＩ／Ｆ）５５ｃを介して、それぞれ携帯端末４０に接続されている。
【００３８】
USB I/F５５ｃへ転送された映像信号（データ）は、制御部５３を通じて内蔵メモリ５４に記録される。ユーザは入力手段５６を操作することにより、内蔵メモリ５４に記録された映像信号（データ）を表示部４７やスピーカ４８に出力し、視聴することができる。
【００３９】
図３はこの発明の実施の形態を示すもので、映像受信装置と携帯端末の接続例を示すブロック図である。
【００４０】
ここでは、映像受信装置３０と携帯端末４０はＵＳＢケーブルを介して接続されている。
【００４１】
図４はこの発明の実施の形態を示すもので、録画または予約録画時の映像受信装置の動作を説明するフローチャートである。
【００４２】
符号１００はここでの開始ステップである。続いて符号１０１を付したステップへ進む。
【００４３】
符号１０１は録画または予約録画を開始するステップである。続いて符号１０２を付したステップへ進む。
【００４４】
符号１０２は記録先に携帯端末４０が指定されているか否かを判断するステップである。記録先に携帯端末４０が指定されている場合は符号１０３を付したステップへ進む（Ｙｅｓ）。記録先に携帯端末４０が指定されていない場合は符号１０５を付したステップへ進む（Ｎｏ）。
【００４５】
符号１０３は携帯端末４０が接続されているか否かを判断するステップである。携帯端末４０が接続されている場合は符号１０４を付したステップへ進む（Ｙｅｓ）。携帯端末４０が接続されていない場合は符号１０５を付したステップへ進む（Ｎｏ）。
【００４６】
符号１０５は受信・記録機器のデータストレージへの記録を実行するステップである。続いて符号１０６を付したステップへ進む。
【００４７】
符号１０は終了ステップであり、ここでの処理は終了する。
【００４８】
図５はこの発明の実施の形態を示すもので、携帯情報端末（携帯端末）が後から接続される場合の映像受信装置の動作を説明するフローチャートである。
【００４９】
符号２００はここでの開始ステップである。続いて符号２０１を付したステップへ進む。
【００５０】
符号２０１は映像受信装置３０に対する携帯端末４０の接続が検出されたか否かを判断するステップである。映像受信装置３０に対する携帯端末４０の接続が検出された場合は符号２０２を付したステップへ進む（Ｙｅｓ）。映像受信装置３０に対する携帯端末４０の接続が検出されない場合は符号２０４を付したステップへ進む（Ｎｏ）。
【００５１】
符号２０２は、映像受信装置３０内（ここではハードディスクドライブ９、ＤＶＤドライブ１０等の記憶媒体）に、上記のように携帯端末４０への記録が実行できず、記録された映像信号（データ）が存在するか否かを判断するステップである。携帯端末４０への記録が実行できなかった映像信号（データ）が映像受信装置３０内に存在すると判断された場合は符号２０３を付したステップへ進む（Ｙｅｓ）。携帯端末４０への記録が実行できなかった映像信号（データ）が映像受信装置３０内に存在しないと判断された場合は符号２０４を付したステップへ進む（Ｎｏ）。
【００５２】
符号２０４は終了ステップであり、ここでの処理は終了する。
【００５３】
図６はこの発明の実施の形態を示すもので、映像受信装置３０で記録先を選択する際の選択画面の表示例を示す図である。
【００５４】
この選択画面は例えば制御部１２で作成され、映像表示部３１に表示される。ユーザはこの選択画面を見ながら入力手段１３を操作し、所望の番組録画を選択する。ここではＣＨ（チャンネル）１、日付７／９（水）、開始時刻--:--、終了時刻--:--、記録先（ＨＤＤ、ＤＶＤ、モバイル（例えば携帯端末４０）のうちのいずれか）、モードＬＰ、レート２．２、音質Ｄ／Ｍが選択される。上記説明した例では記録先として携帯端末４０が選択される。
【００５５】
このように構成することにより、ユーザは番組放送時刻や、携帯情報端末（携帯端末）の接続有無を特に気にすることなく、容易に携帯情報端末（携帯端末）４０へ番組記録が可能となる。
【００５６】
図７はこの発明の、他の実施の形態を示すもので、映像受信装置で記録先を選択する際の選択画面の表示例を示す図である。
【００５７】
ここでは、上記説明した番組記録を携帯情報端末（携帯端末）４０への記録だけでなく、映像・記録機器に搭載されるリムーバブルメディアへの適用例を示す。
【００５８】
例えば、図１で説明した記録先の例としてSDメモリカードも選択できるようにする。これにより、番組記録実行時にSDメモリカードが接続されていればこのSDメモリカードに記録を行い、SDメモリカードが接続されていなければ、一時的にハードディスク９に番組記録を行う。そして、後に、SDメモリカードが接続された際にハードディスク９に記録された番組（データ）の転送を実施する。
【００５９】
さらに、USB I/F１４ｃやLAN I/F１４ｂに対して、接続された映像・音声記録可能携帯情報端末（携帯端末）を個別認識し、録画または予約録画での記録先として選択可能な項目へ自動的に追加していくことも可能である。この情報は例えば制御部１２で管理してもよい。
【００６０】
例えば、映像・音声を記録可能なPDAが接続されていれば、記録先としてPDAが選択可能になる。ユーザが記録先としてPDAを選択した場合に、例えば、番組記録実行時において、PDAが接続されていると、映像記録装置３０はPDAに番組を記録するように制御する。記録実行時にこのPDAが接続されていないときには、一時的にハードディスク９に記録を行い、このPDAが接続された際に上記のようにデータ転送を行う。
【００６１】
ここで、上記、接続された携帯情報端末（携帯端末）４０を個別認識する方法の一例として、接続ケーブルを通じて携帯情報端末（携帯端末）４０側からID番号や製品型番を取得し、制御部１３で認識してもよい。
【００６２】
ユーザはこの選択画面を見ながら入力手段１３を操作し、所望の番組録画を選択する。ここではＣＨ（チャンネル）１、日付７／９（水）、開始時刻--:--、終了時刻--:--、記録先（ＨＤＤ、ＤＶＤ、ＳＤカード、携帯電話（携帯端末）４０、ＰＤＡ、モバイルＴＶ）のうちのいずれか）、モードＬＰ、レート２．２、音質Ｄ／Ｍが選択される。上記説明した例では記録先としてＰＤＡが選択される。
【００６３】
このように構成することにより、ユーザは番組放送時刻や、携帯情報端末（携帯端末）の接続有無を特に気にすることなく、容易に携帯情報端末（携帯端末）４０へ番組記録が可能となる。また、携帯情報端末（携帯端末）４０を個別認識し、記録先として自動的に登録させることも可能である。
【００６４】
上記説明したように、この発明の実施の形態、およびこの発明の他の実施の形態においては、映像信号受信装置３０は、外部から出力された映像信号を受信する映像信号受信手段（チューナ部２または映像信号入力端子４）と、前記受信した映像信号を記録する記録先を複数の中から少なくともひとつを選択するための記録先選択手段（１３）と、前記複数の選択先の中から選択された第１の記録先（例えば携帯端末４０）が映像信号受信装置と電気的に接続されているか否かを検出する接続検出手段（１２）と、前記選択された第１の記録先（例えば携帯端末４０）へ前記映像信号を記録する記録実行時に、前記接続検出手段（１２）で第１の記録先が映像信号受信装置に電気的に接続されていることが検出された場合には、第１の記録先（例えば携帯端末４０）へ前記映像信号を記録するように制御することが可能である。
【００６５】
また、前記接続検出手段（１２）で第１の記録先（例えば携帯端末４０）が映像信号受信装置（３０）に電気的に接続されていないことが検出された場合には、映像信号受信装置に接続された前記第１の記録先とは異なる記録先へ前記映像信号を記録するように制御することが可能である。
【００６６】
上記のように構成することによって、番組放送時刻や、携帯情報端末（携帯端末）の接続有無をユーザが特に気にすることなく、携帯情報端末（携帯端末）への番組記録をより容易にすることが可能となる。
【００６７】
なお、この発明は上記した実施の形態そのままに限定されるものではなく、実施段階ではその趣旨を逸脱しない範囲で構成要素を種々変形して具体化することができる。
【図面の簡単な説明】
【００６８】
【図１】この発明の実施の形態を示すもので、主に映像受信装置（ここではHDD/DVDレコーダ）の構成を示すブロック図。
【図２】この発明の実施の形態を示すもので、主に携帯端末（ここでは携帯電話）の構成を示すブロック図。
【図３】この発明の実施の形態を示すもので、映像受信装置と携帯端末の接続例を示すブロック図。
【図４】この発明の実施の形態を示すもので、録画または予約録画時の映像受信装置の動作を説明するフローチャート。
【図５】この発明の実施の形態を示すもので、携帯情報端末（携帯端末）が後から接続される場合の映像受信装置の動作を説明するフローチャート。
【図６】この発明の実施の形態を示すもので、映像受信装置で記録先を選択する際の選択画面の表示例を示す図。
【図７】この発明の、他の実施の形態を示すもので、映像受信装置で記録先を選択する際の選択画面の表示例を示す図。
【符号の説明】
【００６９】
１…放送受信用アンテナ、２…チューナ部、２ａ…アナログ放送受信部、２ｂ…デジタル放送受信部、４…映像信号入力端子、５…音声信号入力端子、６…オーディオＡＤコンバータ、７…ＭＰＥＧエンコーダ、８…ストリームコントローラ、９…ハードディスクドライブ（ＨＤＤ）、１０…ＤＶＤドライブ、１１…データバス、１２…制御部（ＣＰＵ）、１３…入力手段、１４…外部とのインターフェース（外部Ｉ／Ｆ）、１４ａ…ＳＤカードインターフェース（ＳＤカードＩ／Ｆ）、１４ｂ…ＬＡＮインターフェース（ＬＡＮＩ／Ｆ）、１４ｃ…ＵＳＢインターフェース（ＵＳＢＩ／Ｆ）、３０…映像受信装置（ＵＳＢ接続機器）、３１…映像表示部（例：テレビ）、３２ａ…ＳＤメモリカード、３３ａ…ＬＡＮ接続機器、４０…ＵＳＢ接続機器（例：携帯端末、携帯電話）、４１…通話信号送受信用アンテナ、４２…増幅部、４３…ダウンコンバータ、４４…ベースバンドコントローラ、４５…映像・音声信号処理部、４６…ＬＣＤコントローラ、４７…表示部、４８…スピーカ、４９…マイク、５０…Ａｕｄｉｏコーディック、５１…アップコンバータ、５２…増幅部、５３…制御部（ＣＰＵ）、５４…内蔵メモリ、５５…外部とのインターフェース（外部Ｉ／Ｆ）、５５ａ…ＳＤカードインターフェース（ＳＤカードＩ／Ｆ）、５５ｂ…ＬＡＮインターフェース（ＬＡＮＩ／Ｆ）、５５ｃ…ＵＳＢインターフェース（ＵＳＢＩ／Ｆ）、３２ｂ…ＳＤメモリカード、３３ｂ…ＬＡＮ接続機器。
【図１】
2006041786.tif 000003
【図２】
2006041786.tif 000004
【図３】
2006041786.tif 000005
【図４】
2006041786.tif 000006
【図５】
2006041786.tif 000007
【図６】
2006041786.tif 000008
【図７】
2006041786.tif 000009